(57)【要約】【課題】  カバーとアクチュエータベースとの結合箇所で、係合面に係合した係止爪に復帰力を与えるための弾性をカバーの壁部によって発揮させることによって、小形化を阻害することなく、組立て後のカバーとアクチュエータベースとの結合安定性を向上させる。【解決手段】  アクチュエータベース１とカバー３とからなる。アクチュエータベース１とカバー３との複数の結合箇所で、アクチュエータベース側の係合面２１ａ，２２ａ，２４ａ，２５ａにカバー３側の係止爪４１，４２，４３，４４が係合している。１箇所の結合箇所では、係止爪４２を、カバー３の天板部３１に下向きに連設した幅広の壁部３３の下端部表面から内向きに突出させることによって、係止爪４２の変位が壁部３３の弾性に抗して行われるようにしてある。【選択図】        図１
2006066022.tif 000002
【特許請求の範囲】
【請求項１】
対物レンズなどの光学要素が搭載されるアクチュエータベースとそのベースに複数箇所で結合されるカバーとからなり、アクチュエータベースとカバーとの複数の結合箇所で、アクチュエータベース側に具備された係合面にカバー側に具備された係止爪が係合し、かつ、その係止爪が、カバーの天板部に連設された弾性を備える脚片の端部表面から突出している光ピックアップの光学ヘッド筐体において、
複数の上記結合箇所が当該筐体の前側２箇所と後側２箇所とに振り分けられていて、前側１箇所と後側２箇所の結合箇所では上記係止爪がアクチュエータベースの内側から外側に向けて突出しているのに対し、残りの前側１箇所の結合箇所では上記係止爪がアクチュエータベースの外側から内側に向けて突出しており、
上記残りの前側１箇所の結合箇所において、上記脚片を上記カバーの天板部に下向きに連設されて当該脚片よりも幅広に形成された壁部で置き換えて上記係止爪をその壁部の下端部表面から内向きに突出させることにより、その係止爪の変位が上記壁部の弾性に抗して行われるようにしてあると共に、上記壁部を上記係止爪の横方向隣接箇所で凹入状に欠除することによって、上記係止爪が変位するときの壁部の弾性の大きさを調節してあることを特徴とする光ピックアップの光学ヘッド筐体。
【請求項２】
対物レンズなどの光学要素が搭載されるアクチュエータベースとそのアクチュエータベースに複数箇所で結合されるカバーとからなり、アクチュエータベースとカバーとの複数の結合箇所で、アクチュエータベース側に具備された係合面にカバー側に具備された係止爪が係合し、かつ、その係止爪が、カバーの天板部に連設された弾性を備える脚片の端部表面から突出している光ピックアップの光学ヘッド筐体において、
複数の上記結合箇所のうちの少なくとも１箇所で、上記脚片を上記カバーの天板部に下向きに連設されて当該脚片よりも幅広に形成された壁部で置き換えて上記係止爪をその壁部の下端部表面から突出させることにより、その係止爪の変位が上記壁部の弾性に抗して行われるようにしてあることを特徴とする光ピックアップの光学ヘッド筐体。
【請求項３】
上記壁部を、上記係止爪の横方向隣接箇所でその係止爪形成領域を越えない範囲で凹入状に欠除することによって、上記係止爪が変位するときの壁部の弾性の大きさを調節してある請求項２に記載した光ピックアップの光学ヘッド筐体。
【請求項４】
カバーに具備された壁部を凹入状に欠除することにより上記係止爪の横幅と同一幅の上記脚片が形成されている上記カバーの凹入状の上記欠除箇所を、上記壁部をその欠除箇所内に延出させることにより消失させると共に、上記脚片を、上記欠除箇所に延出された壁部に同化させてある請求項２又は請求項３に記載した光ピックアップの光学ヘッド筐体。
【発明の詳細な説明】
【技術分野】
【０００１】
本発明は、光ピックアップの光学ヘッド筐体、特に、アクチュエータベースとそのアクチュエータベースに装着されたカバーとの結合箇所で、カバー側の係止爪がアクチュエータベース側の係合面に係合しているという構成を備えた光学ヘッド筐体に関する。
【背景技術】
【０００２】
従来、この種の光学ヘッド筐体において、カバー側に設けられる複数のすべての係止爪が、カバーの天板部に連設された弾性を備える脚片の端部表面で外向き又は内向きに突出していた。そして、カバーをアクチュエータベースに装着するという組立て時には、それらの係止爪をアクチュエータベースに押し付けることによって脚片を反り変形させつつ、脚片の弾性復元性を利用して係止爪をアクチュエータベース側の係合面に係合させるという作業が行われている。また、アクチュエータベース側の係合面とカバー側の係止爪との嵌合力、言い換えると、アクチュエータベースとカバーとを離脱させる外力に抗する力が、その脚片の弾性によって得られるようになっていた。
【０００３】
一方、ＤＶＤプレーヤなどに採用される光学ヘッド筐体は小形でコンパクトに製作されるために、カバーに具備される脚片の幅寸法を短くし、かつ、その肉厚を極めて薄くせざるを得ないという状況があり、その結果、カバーを樹脂成形体で製作した場合には特にその脚片が組成変形しやすい性質を有していた。
【０００４】
一方、光学ヘッド筐体を、上記したアクチュエータベースに相当する部材にカバーに相当する部材を装着することによって構成することは先行例によっても種々提案されている（特許文献１、特許文献２、特許文献３、特許文献４参照）。
【０００５】
このうち、特許文献１に記載されているものは、アクチュエータカバー側に設けられる係止爪が脚片の端部に備わっている点で、冒頭で説明した従来例と軌を一にしている。特許文献２には、ステンレススチール等の金属板で形成されたカバーに係合用の孔又は爪を備えた脚部を折り曲げて形成したものが記載され、特許文献４にはリン青銅で製作されたアクチュエータカバーに、突起又は嵌合孔を備えた保持片を折り曲げて形成したものが記載されていて、これらは、カバーがステンレススチール等の金属板又はリン青銅で形成されている点以外は、冒頭で説明した従来例と軌を一にしている。特許文献４には、アクチュエータカバーの側面の一部にフックを具備させ、そのフックと側面とによってフレキシブル回路基板を挟持させるようにしたものが記載されている。
【特許文献１】特開２００３−４５０５５号公報
【特許文献２】特開２００４−６３０３１号公報
【特許文献３】特開２０００−２５１２９８号公報
【特許文献４】特開平９−４４８８２号公報
【発明の開示】
【発明が解決しようとする課題】
【０００６】
ところで、光学ヘッド筐体をアクチュエータベースとカバーとによって構成し、カバー側の係止爪をアクチュエータベース側の係合面に係合させて両者を結合するという構成を採用した場合には、当該光学ヘッドの小形化を阻害することなく、カバー側の係止爪をアクチュエータベース側の係合面に係合させた後の係止爪の嵌合力を大きくして両者の結合安定性を高め、かつ、組立て時などに、係止爪に変位後の復帰力を与えるための部分が折曲ったり折損したりするという事態の起こらないようにすることが望まれる。
【０００７】
しかしながら、冒頭で説明した従来の光学ヘッド筐体のように、係止爪を脚片の端部表面で外向き又は内向きに突出させた構造を採用すると、嵌合力を高めるために脚片の幅寸法や肉厚を大きくしてその弾性を大きくした場合には、光学ヘッド筐体が大形になってしまうという不都合を生じるおそれがあり、その逆に、光学ヘッドの大形化を回避するために脚片の幅寸法や肉厚を小さく抑えると、脚片の弾性が小さくなりすぎて係合面と係止爪との嵌合力が小さく抑えられてしまい、アクチュエータベースに対するカバーの結合安定性が低下してカバーがぐらついたりアクチュエータベースから脱落したりするおそれが生じるほか、組立て時に脚片が折れ曲がったり折損したりするおそれが大きくなる。このように従来の光学ヘッド筐体では、その小形化を阻害することなく、組立て時などの脚片の折曲りや折損を防ぎつつ、組立て後のカバーとアクチュエータベースとの結合安定性を向上させることに困難が伴うという問題があった。また、幅寸法が短くて薄い脚片を備えたカバーを樹脂で成形すると、成形技術との関係で脚片や係止爪の形成箇所にバリなどの余剰部分が形成されやすいという問題もあった。
【０００８】
これに対し、特許文献１〜３は、いずれも係止爪に相当する部分を脚片に相当する部分に具備させた構成を開示しているだけであり、上記した作業性と結合安定性との両方を満足させるための対策については何も記載されていない。
【０００９】
本発明は以上の状況の下でなされたものであり、カバーをアクチュエータベースに装着する際にアクチュエータベースに押し付けられて変位する係止爪に復帰力を与えるための弾性を、脚片以外の部分で適切に発揮させ得るような対策を講じることによって、小形化を阻害することなく、係止面に対する係止爪の嵌合力を増大させて組立て後のカバーとアクチュエータベースとの結合安定性を向上させることが容易になり、しかも、組立て時などに弾性変位する部位に折曲りや折損が生じることをでるだけ防ぐことのできる光ピックアップの光学ヘッド筐体を提供することを目的とする。
【００１０】
また、カバーを樹脂で成形しても、弾性を発揮する部分や係止爪の形成箇所にバリなどの余剰部分が形成されにくいという利点を持つ光ピックアップの光学ヘッド筐体を提供することを目的とする。
【００１１】
さらに、本発明は、係止爪に復帰力を与えるための弾性の大きさを調節しやすい光ピックアップの光学ヘッド筐体を提供することを目的とする。
【課題を解決するための手段】
【００１２】
本発明に係る光ピックアップの光学ヘッド筐体は、対物レンズなどの光学要素が搭載されるアクチュエータベースとそのアクチュエータベースに複数箇所で結合されるカバーとからなり、アクチュエータベースとカバーとの複数の結合箇所で、アクチュエータベース側に具備された係合面にカバー側に具備された係止爪が係合し、かつ、その係止爪が、カバーの天板部に連設された弾性を備える脚片の端部表面から突出している光ピックアップの光学ヘッド筐体において、複数の上記結合箇所のうちの少なくとも１箇所で、上記脚片を上記カバーの天板部に下向きに連設されて当該脚片よりも幅広に形成された壁部で置き換えて上記係止爪をその壁部の下端部表面から突出させることにより、その係止爪の変位が上記壁部の弾性に抗して行われるようにしてある、というものである。
【００１３】
この構成を備えた光学ヘッド筐体では、カバーの壁部の弾性によって係止爪にその変位後の復帰力が与えられる。そして、その壁部は、冒頭で説明した脚片のようにその幅寸法が短く制限されてしまうことがないので、当該光学ヘッド筐体の大形化を来すことなく、係止爪に与える復帰力を増大させて係合面に対する係止爪の嵌合力を大きくすることが容易に可能になる。したがって、本発明によると、当該光学ヘッドの大形化を来すことなく、アクチュエータベースとカバーとの結合安定性を向上させることが可能になる。併せて、幅寸法を短くして肉厚を薄くせざるを得ない脚片を、そのような制限の少ない壁部によって置き換えることによって、係止爪に変位後の復帰力を与えるように構成したために、少なくとも脚片が壁部で置き換えられた箇所では、脚片が無理な力を受けて折れ曲がったり折損したりしやすいという問題を生じる余地がなくなり、バリなどの余剰部分が形成されやすいという問題も改善される。
【００１４】
本発明では、上記壁部を、上記係止爪の横方向隣接箇所でその係止爪形成領域を越えない範囲で凹入状に欠除することによって、上記係止爪が変位するときの壁部の弾性の大きさを調節してあるという構成を採用することが可能である。これによれば、壁部を凹入状に欠除するだけで、壁部の幅寸法を変更することなく、変位後の係止爪に復帰力を与えるための弾性の大きさを容易に調節することができるようになる。したがって、当該光学ヘッド筐体の大形化を来すことなく、組立て後のアクチュエータベースとカバーとの結合安定性を改善し、併せて、組立て時にアクチュエータベースに押し付けられて変位する係止爪に与えられる弾性の大きさを適切にして組立て作業性を改善することが容易に可能になる。
【００１５】
本発明は、カバーに具備された壁部を凹入状に欠除することにより上記係止爪の横幅と同一幅の上記脚片が形成されている上記カバーの凹入状の上記欠除箇所を、上記壁部をその欠除箇所内に延出させることにより消失させると共に、上記脚片を、上記欠除箇所に延出された壁部に同化させてある、というものでもある。これによっても上記した作用が発揮される。
【００１６】
本発明に係る光ピックアップの光学ヘッド筐体は、対物レンズなどの光学要素が搭載されるアクチュエータベースとそのベースに複数箇所で結合されるカバーとからなり、アクチュエータベースとカバーとの複数の結合箇所で、アクチュエータベース側に具備された係合面にカバー側に具備された係止爪が係合し、かつ、その係止爪が、カバーの天板部に連設された弾性を備える脚片の端部表面から突出している光ピックアップの光学ヘッド筐体において、複数の上記結合箇所が当該筐体の前側２箇所と後側２箇所とに振り分けられていて、前側１箇所と後側２箇所の結合箇所では上記係止爪がアクチュエータベースの内側から外側に向けて突出しているのに対し、残りの前側１箇所の結合箇所では上記係止爪がアクチュエータベースの外側から内側に向けて突出しており、上記残りの前側１箇所の結合箇所において、上記脚片を上記カバーの天板部に下向きに連設されて当該脚片よりも幅広に形成された壁部で置き換えて上記係止爪をその壁部の下端部表面から内向きに突出させることにより、その係止爪の変位が上記壁部の弾性に抗して行われるようにしてあると共に、上記壁部を上記係止爪の横方向隣接箇所で凹入状に欠除することによって、上記係止爪が変位するときの壁部の弾性の大きさを調節してある、という構成を採用することによっていっそう具体化される。この発明の作用は後述する実施形態を参照して詳細に説明する。
【発明の効果】
【００１７】
以上のように、本発明によれば、カバーをアクチュエータベースに装着する際にアクチュエータベースに押し付けられて変位する係止爪に復帰力を与えるための弾性を、カバーの壁部によって発揮させるようにしているので、当該光学ヘッド筐体の小形化を阻害することなく、係止面に対する係止爪の嵌合力を増大させて組立て後のカバーとアクチュエータベースとの結合安定性を向上させることができ、併せて、組立て時などに弾性変位する部位が折れ曲がったり折損したりしにくくなるという卓越した効果が奏される。また、幅寸法をそれほど短くする必要のない壁部に係止爪が備わっていることにより、少なくとも脚片が壁部によって置き換えられている箇所では、樹脂成形によってもバリなどの余剰部分が形成されにくいという利点がある。さらに、壁部を凹入状に欠除することによって係止爪に復帰力を与えるための弾性の大きさを調節してあるものでは、上記結合安定性と組立て作業性の両方を容易に改善することが可能になる。
【発明を実施するための最良の形態】
【００１８】
図１は本発明に係る光学ヘッド筐体Ａの平面図、図２は図１のＩＩ矢視図、図３は図１のＩＩＩ矢視図、図４は図１のＩＶ矢視図、図５は図１のＶ矢視図である。また、図６はカバー２の正面図、図７はカバー２の背面図、図８はカバー２の壁部３３に形成された係止爪４２と係合面２２ａとの係合構造を示した概略斜視図である。
【００１９】
図１〜図５において、１は板金製のアクチュエータベースであり、略矩形の下板部１１の前後及び左右の各辺に立上り壁１２，１３，１４，１５やビス止め用の取付片１６、１７、チルト調整用バネに対するばね受け片１８ながが折り曲げて形成されている。そして、前側立上り片１２の上端部の左右両側に外向きの突出部２１，２２が備わっていると共に、後側立上り壁１３が左右の壁部１３ａ，１３ｂに分かれていて、それらの壁部１３ａ，１３ｂの上端部に内向きの突出部２４，２５が備わっている。このアクチュエータベース１には、図示していない対物レンズやミラーなどの光学系要素及びフォーカスコイルやトラキングコイル、マグネットなどの制御系要素などが搭載される。
【００２０】
これに対し、３は樹脂成形体でなるカバーであり、このカバー３の天板部３１にアクチュエータベース１に搭載された対物レンズが臨む透孔３２を備わっていると共に、前後及び左右の各辺にそれぞれ壁部３３，３４，３５，３６が備わっている。また、このカバー３には、前側２箇所に左右１つずつの係止爪４１，４２が備わり、後側２箇所にも左右１つずつの係止爪４３，４４が備わっている。そして、これらの係止爪４１，４２，４３，４４が、上記したアクチュエータベース１に設けられている前後２箇所ずつに備わっている突出部２１，２２，２４，２５に各別に対応していて、それぞの突出部２１，２２，２４，２５の下面によって形成されている係合面２１ａ，２２ａ，２４ａ，２５ａに係合している。この構成により、当該光学ヘッド筐体Ａは、カバー３の天板部３１によってアクチュエータベース１の上面開放箇所が塞がれていると共に、アクチュエータベース１とカバー３とが前側２箇所と後側２箇所とで結合されていて、それらの全部の結合箇所で、係止爪４１，４２，４３，４４が係合面２１ａ，２２ａ，２４ａ，２５ａに各別に係合している。また、図２〜図５によって判るように、前側１箇所と後側２箇所の結合箇所の係止爪４１，４３，４４がアクチュエータベース１の内側から外側に向けて突出しているのに対し、残りの前側１箇所の結合箇所の係止爪４２がアクチュエータベース１の外側から内側に向けて突出している。
【００２１】
図６又は図７で判るように、この実施形態では、４つの係止爪４１，４２，４３，４４のうち、外向きに突出している３つの係止爪４１，４３，４４を、それらの係止爪４１，４３，４４と同一の幅寸法を有する各別の脚片５１，５３，５４に具備させてあり、しかも、それらの係止爪４１，４３，４４が脚片５１，５３，５４の下端部外側表面５１ａ，５３ａ，５４ａから外向きに突出している。また、それらの外向きの３つの係止爪４１，４３，４４のうち、前側結合箇所に配備されている１つの係止爪４１を備える脚片５１がカバー３の天板部３１に連設されているのに対し、後側結合箇所に配備されている他の係止爪４３，４４を備える２つの脚片５３，５４は、壁部３４に凹入状の欠除箇所を設けることによって形成されている。そして、この構成を採用することによって、３つの各係止爪４２，４４，４５の変位を脚片５１，５３，５４の弾性変形により吸収させ、その変位の影響を天板部３１や壁部３４に及ばせないようにしてある。
【００２２】
これに対し、図６又は図８で判るように、残りの前側１箇所の結合箇所に配備されている係止爪４２は、壁部３３の下端部内側表面３３ａから内向きに突出している。この構成を採用しているため、この係止爪４２の変位は壁部３３の弾性変形により吸収される。また、この係止爪４２が設けられている壁部３３は、他の３つの係止爪４１，４３，４４が設けられている脚片５１，５３，５４のようにその幅寸法が極端に短く制限されることがなくてそれらの脚片５１，５３，５４よりも幅広になっているので、その壁部３３が発揮する弾性は個々の脚片５１，５３，５４が発揮する弾性よりも大きい。そのため、係止爪４２を壁部３３の弾性に抗して変位させるのに要する力は、他の個々の係止爪４１，４３，４４を個々の脚片５１，５３，５４の弾接に抗して変位させるのに要する力よりも大きく、その結果、係止爪４２の変位後の復帰力は、他の３つの係止爪４１，４３，４４の変位後の復帰力よりも大きくなる。
【００２３】
ここで、上記した内向きの係止爪４２を脚片の下端部内側表面から突出させる以外は上記実施形態と同様の構成を備えた従来の光学ヘッド筐体（従来例）による全体的な結合安定性と、上記実施形態に係る光学ヘッド筐体Ａ（発明品）による全体的な結合安定性とを対比すると、従来例では、４つの係止爪の変位後の復帰力が脚片の弾性によって発揮されるのに対し、発明品では、変位した３つの係止爪４１，４３，４４の復帰力が脚片５１，５３，５４の弾性によって発揮され、他の残りの係止爪４２の変位後の復帰力は壁部３３の弾性によって発揮されるので、全体としての結合安定性は、発明品が従来例を凌ぐことになる。したがって、４つの係止爪４１，４２，４３，４４をアクチュエータベース１に押し付けて変形させながらそれらの復帰力で各係合面２１ａ，２２ａ，２３ａ，２４ａに係合させることによって組み立てられる実施形態の光学ヘッド筐体Ａはその結合安定性が向上したものになる。
【００２４】
また、係止爪４２が設けられている壁部３３は幅広に形成されているので、上記したような組立て時に変形しても折れ曲がったり折損したりするという事態が起こりにくい。その上、壁部３３は光学ヘッド筐体Ａを大形化することなく設けることが可能である。
【００２５】
さらに、壁部３３の下端部内側表面に係止爪４２を設けておくと、図８に示したように、係止爪４２の横方向隣接箇所でその係止爪形成領域を越えない範囲で凹入状に欠除することによって、係止爪４２が変位するときの壁部３３の弾性の大きさを減少させる側に調節することができる。そのため、凹入状の欠除箇所３７の凹入幅や横幅を、係止爪形成領域を越えない範囲で調節してアクチュエータベース１とカバー３との組立て時の係止爪４２の変位に要する力を調節してその組立て作業性を改善することが可能になる。
【００２６】
この実施形態では、１つの係止爪４２だけを壁部３３に設け、他の３つの係止爪４１，４３，４４を脚片５１，５３，５４に具備させて全体的な結合安定性の向上と組立て作業性とのバランスを図っているけれども、この点は、２つ以上の係止爪を壁部に設けて残りの係止爪を脚片に設けても、あるいは、全部の係止爪をすべて壁部に設けることも可能であり、いずれを採用するかは、全体的な結合安定性と組立て作業性とのバランスを勘案して適宜選定すべきである。
【００２７】
次に、係止爪を脚片に設ける場合と壁部に設ける場合とを図９を参照しつつ対比して説明する。ここでは、係止爪に符号１００を付し、カバーの壁部に符号２００を付し、脚片に符号３００を付し、脚片３００を形成するために壁部２００に形成した凹入状の欠除箇所に符号４００を付し、係合面に符号５００を付すことにする。図９（Ａ）のように係合面５００に係合している係止爪１００が、同図（Ｂ）のように上下幅Ｈの壁部２００の下端部内側表面に設けられていると、その係止爪１００が変位した後の復帰力が壁部２００の弾性によって発揮される。そして、壁部２００の幅は、同図（Ｃ）に示した脚片３００よりも広いので、同図（Ｂ）の係止爪１００の変位後の復帰力は、同図（Ｃ）のように脚片３００の下端部内側表面に設けられた係止爪１００の変位後の復帰力よりも大きい。
【００２８】
また、同図（Ｃ）のように、壁部２００に凹入状の欠除箇所４００を形成することによって脚片３００を形成したものは上記した従来例に備わっている構成に相当する。したがって、同図（Ｂ）に示した構成は、同図（Ｃ）のように壁部２００に凹入状の欠除箇所４００を形成することによって係止爪１００の横幅と同一幅の脚片３００が形成されているカバーの凹入状の欠除箇所４００を、壁部２００をその欠除箇所４００内に同図（Ｂ）矢印Ｘのように延出させることにより消失させると共に、脚片３００を、欠除箇所４００に延出された壁部２００に同化させた構成に相当する。したがって、同図（Ｂ）に示した構成は、同図（Ｃ）に示した形状を成形するための成形金型の成形面の形状に簡単な変更を加えるだけで得られるという利点がある。
【図面の簡単な説明】
【００２９】
【図１】本発明に係る光学ヘッド筐体の平面図である。
【図２】図１のＩＩ矢視図である。
【図３】図１のＩＩＩ矢視図である。
【図４】図１のＩＶ矢視図である。
【図５】図１のＶ矢視図である。
【図６】カバーの正面図である。
【図７】カバーの背面図である。
【図８】カバーの壁部に形成された係止爪と係合面との係合構造を示した概略斜視図である。
【図９】（Ａ）は係止爪と係合面との係合構造の説明図、（Ｂ）は本発明の光学ヘッド筐体に採用されている係止爪と係止面との係合構造の説明図、（Ｃ）は従来の光学ヘッド筐体に採用されている係止爪と係止面との係合構造の説明図である。
【符号の説明】
【００３０】
Ａ  光学ヘッド筐体
１  アクチュエータベース
３  カバー
２１ａ，２２ａ，２４ａ，２５ａ  係合面
３１  天板部
３３  壁部
４１，４２，４３，４４  係止爪
５１，５３，５４  脚片
【図１】
2006066022.tif 000003
【図２】
2006066022.tif 000004
【図３】
2006066022.tif 000005
【図４】
2006066022.tif 000006
【図５】
2006066022.tif 000007
【図６】
2006066022.tif 000008
【図７】
2006066022.tif 000009
【図８】
2006066022.tif 000010
【図９】
2006066022.tif 000011